(57)【要約】      （修正有）【課題】体力に自信の持てない・高齢者・リハビリ者でも筋力トレーニングが出来る為のトレーニング用無段加圧装置を付加し、トレーニング効果を得る動作時以外は、トレーニング用無段加圧装置は作動しないようにした健康器具を提供する。【解決手段】両足を乗せて開閉動作をする部分品１９とそれを取付け保持する設置部分品とを有し、加圧の微調整の為、弾性質の軽荷重のスプリング３と中弾性質のウレタンゴムを固定連結する事なく組合せ、無段に加圧が出来る装置とする。その無段加圧装置はスライドの一方向のみ作動する様にブレーキドラム６の取付け板を振り子運動が出来る様にし、それによって、閉脚動作時だけ無段加圧装置を作動させ開脚動作時には、振り子の原理で荷重が変わらない位置までブレーキドラムが移動する仕組みとし無段加圧装置を作動しない様にした。【選択図】図５
0003190309.tif 000002
【実用新案登録請求の範囲】
【請求項１】
直立トレーニングが不可能な人達が寝たまま又は、椅子に座った状態で開脚・閉脚の動作を行う事により下肢の大腿四頭筋・内転筋・腓腹筋・ハムストリングス等の筋力をトレーニングするもので、両足を乗せて開閉動作をする部分品とそれを取付け保持する設置部分品とのスライドをさせる為の力をスプリング又は、ゴムの弾性を利用して摩擦制御の調整をしトレーニング効果に必要な負荷を造り出し、しかも個々の体力に対応して負荷が調整出来る無段加圧装置を備えた健康器具。
【請求項２】
下肢大腿四頭筋・内転筋・腓腹筋・ハムストリングス等の筋力をトレーニングする為の無段加圧装置を閉脚動作時のトレーニング効果の取得出来る時だけ作動させ使用者の体力消耗を軽減する無段加圧装置解除装置を設けた健康器具。
【考案の詳細な説明】
【技術分野】
【０００１】  本考案は、筋力トレーニングが出来る為のトレーニング用無段加圧装置及び、無段加圧装置の開除装置を備えた健康器具。
【考案の概要】
【考案が解決しようとする課題】
【０００２】  加齢・療養に依り、下肢の筋力低下に伴う、円滑な歩行が困難であるが従来の健康器具は直立して行う為、体重を支える事が出来る体力が無いと、使用は不可能であると言う問題点を有していた。
【課題を解決するための手段】
【０００３】  上記の目的を達成する為に、仰向きに寝たまま又は、椅子に座った状態で下肢の筋力トレーニングが出来る形状にして、体重による負荷の代わりに、無段加圧装置を考案した。又、トレーニング効果が得られる以外は、無段加圧装置が作動しない装置も考案した。
すなわち、請求項１の考案は、直立トレーニングが不可能な人達が寝たまま又は、椅子に座った状態で開脚・閉脚の動作を行う事により下肢の大腿四頭筋・内転筋・腓腹筋・ハムストリングス等の筋力をトレーニングするもので、両足を乗せて開閉動作をする部分品とそれを取付け保持する設置部分品とのスライドをさせる為の力をスプリング又は、ゴムの弾性を利用して摩擦制御の調整をしトレーニング効果に必要な負荷を造り出し、しかも個々の体力に対応して負荷が調整出来る無段加圧装置を備えた健康器具である。
請求項２の考案は、下肢大腿四頭筋・内転筋・腓腹筋・ハムストリングス等の筋力をトレーニングする為の無段加圧装置を閉脚動作時のトレーニング効果の取得出来る時だけ作動させ使用者の体力消耗を軽減する無段加圧装置解除装置を設けた健康器具である。
【考案の効果】
【０００４】  歩行は困難であるも両足の開閉さえ出来る体力があれば無段加圧装置の設置で下肢筋力のトレーニングが可能であり、又、トレーニング効果を得られない開脚動作時には無段加圧装置の解除装置が働き無荷重となる為、体力の消耗をおさえる事が出来る。以上により寝たきり高齢者の減少の期待が出来、ひいては医療費の削減にもつながる可能性がある。又、療養による下肢の筋力低下のリハビリにも介護者なしでトレーニングが可能な安全性の高い構造である。
【図面の簡単な説明】
【０００５】
【図１】健康器具の平面図である。
【図２】健康器具の側面図である。
【図３】健康器具の足乗せ部の正面図である。
【図４】健康器具の足乗せ部の側面図である。
【図５】健康器具の右足乗せ部と左足のせ部の製造工程を示す概略図である。
【考案を実施するための形態】
【０００６】  図１の符号８のレール上に図１の符号図５詳細の足乗部本体を取付ける。そして、使用者が仰向きに寝た状態又は、椅子に座った状態で図１の符号図５詳細の足乗部本体の左・右上に左足右足を各々に乗せる。
【０００７】  請求項１の無段加圧装置は図５の符号３の無段加圧装置調整クッションと図５の符号６のブレーキドラムのそれぞれの材料の持つ弾性と摩擦力の高さとの組み合わせによりその特性を活用調整する事により得られた。
【０００８】  図５の符号１の無段加圧装置調整つまみを左又右に回すと連結した無段加圧装置伝導シャフト（ネジ切りシャフト）が、図５の符号２６の無段加圧装置シリンダー（内側ネジ切りパイプ）の中で上下すると
【０００９】  図５の符号２６の中に装備した図５の符号３の無段加圧装置調整クッションが伸縮される。
【００１０】  その伸縮が図５の符号４の無段加圧装置連結ボルト及び連結された図５の符号２９（左側）又は符号３０（右側）の無段加圧装置連結板及び
【００１１】  それに連結（可動式）された図５の符号１１（左側）又は、符号２８（右側）の無段加圧装置切換板に取り付けてある図５の符号６のブレーキドラムが上下作動して図５の符号８のレールとの接触摩擦負荷の強弱を作り出す。
【００１２】  その接触摩擦負荷の強弱が図５の符号１９の足乗せ部本体と図５の符号８のレールとのスライドの潤滑度を増減させ使用者の両足を開閉出来る体力に応じて適切なトレーニングが出来る様に無段階に調整出来る仕組みとなっている。
【００１３】  請求項２の無段加圧装解除装置は開脚始動時に作動する仕様となっている。
【００１４】  図５の符号６のブレーキドラムと図５の符号８のレールとの接触を絶って摩擦負荷をなくする仕組みである。
【００１５】  図５の符号６のブレーキドラムは図５の符号１１又は、符号２８の無段加圧装置切換板に図５の符号１８の無段加圧装置ブレーキドラム取付けピンにより取付けられているが
【００１６】  図５の符号８のレールとトレーニング効果時の接触位置より左側の図５の符号６のブレーキドラムは右に、右側の図５の符号６のブレーキドラムは左にずらした位置に取付けてある。
【００１７】  その取付け位置は開脚動作時に図５の符号６のブレーキドラムと図５の符号８のレールとが接触はしているが無負荷の状態となる位置に取付けてある。
【００１８】  それにより、開脚作動時には図５の符号１１又は、符号２８の無段加圧装置切換板は可動式となっている為、ただ接触しているだけの位置に移動して図５の符号６のブレーキドラムと図５の符号８のレールとは接触はしているが無荷重な状態となる。
【００１９】  図５の符号１０及び、符号２７の無段加圧装置解除レバーは図５の符号６のブレーキドラムと図５の符号８のレールとの接触作動を確実にする為の、ものである。
【符号の説明】
【００２０】１無段加圧装置調整つまみ（外径４５ｍｍプラッスチック製）
２無段加圧装置伝導シャフト（１０ｍｍ×３０ｍｍ鉄製ボルト）
３無段加圧装置調整クション（８ｍｍ×２０ｍｍモールスプリング又はゴム）
４無段加圧装置連結ボルト（５ｍｍ×３５ｍｍＣＰＳボルト）
５振れ止めビス（４ｍｍ×１５ｍｍ丸ビス）
６ブレーキドラム（１９φウレタンゴム）
７スライドパイプ（１４ｍｍ×１５φ×２５φポリカーボネート製）
８レール（１３．８φ×７００ｍｍ鉄パイプ）
９スライドパイプ本体取付け金具（Ｍ６×２０ｍｍＡＵボルト）
１０無段加圧装置解除レバー右（３ｔ×２０ｍｍ×１０４ｍｍ鉄製板）
１１無段加圧装置解除板（３ｔ×７５ｍｍ鉄製板）
１２無段加圧装置解除伝達ボルト（５ｔ×３５ｍｍ鉄製ボルト）
１３無段加圧装置解除本体取付けボルト（６ｔ×３５ｍｍスペーサー入ボルト）
１４無段加圧装置用スペーサー（５φ×２０ｍｍ鉄パイプ）
１５無段加圧装置伝達ボルト止めナット（５φ鉄製フランジナット）
１６無段加圧装置伝達ボルト調整ナット（５φ六角鉄製ナット）
１７無段加圧装置ブレーキドラム連結ボルト（５ｍｍ×１０ｍｍ鉄製低頭丸ビス）
１８無段加圧装置ブレーキドラム取付けピン（５ｍｍ×２０ｍｍ鉄製ロールピン）
１９足乗せ部本体（２ｔの足型成形状鉄製板）
２０足乗せ部本体取付け板（２ｔの鉄製整形板）
２１足乗せ部本体取付けボルト（６ｍｍ×１５ｍｍＣＰＳ鉄製ボルト）
２２無段加圧装置解除装置切断ストッパー（８ｍｍ×２０ｍｍ鉄製ボルト）
２３すべり止めカバー（ゴム製）
２４レール台（１．５ｔ×２０ｍｍ×５０ｍｍ×２５０ｍｍ鉄製角パイプ）
２５レール取付け（２ｔ×１００ｍｍ×１３０ｍｍ鉄製板）
２６無段加圧装置シリンダー（１４φ×１５ｍｍ鉄製パイプ）
２７無段加圧装置解除レバー左（３ｔ×２０ｍｍ×１０４ｍｍ鉄製板）
２８無段加圧装置切換板（３ｔ×７５ｍｍ鉄製板）
２９無段加圧装置連結板右（３ｔ×４５ｍｍ鉄製板）
３０無段加圧装置連結板左（３ｔ×４５ｍｍ鉄製板）
【図１】
0003190309.tif 000003
【図２】
0003190309.tif 000004
【図３】
0003190309.tif 000005
【図４】
0003190309.tif 000006
【図５】
0003190309.tif 000007
【手続補正書】
【提出日】平成25年11月17日(2013.11.17)
【手続補正１】
【補正対象書類名】実用新案登録請求の範囲
【補正対象項目名】請求項１
【補正方法】変更
【補正の内容】
【請求項１】
直立トレーニングが不可能な人達が寝たまま又は、椅子に座った状態で開脚・閉脚の動作を行う事により下肢の大腿四頭筋・内転筋・腓腹筋・ハムストリングス等の筋力をトレーニングするもので、両足を乗せて開閉動作をする部分品とそれを取付け保持する設置部分品とのスライドをさせるこの器具の使用目的が健康弱者を対象としている為に、加圧の微調整が必要となる為、弾性質の軽荷重のスプリングと中弾性質のウレタンゴムを固定連結する事なく組合させる事により、無段に加圧が出来る装置とし、その無段加圧装置はスライドの一方向のみ作動する様にブレーキドラムの取付け板を振り子運動が出来る様にし、それによって、閉脚動作時のトレーニング効果の取得出来る動作の時だけ無段加圧装置を作動させ開脚動作時には、振り子の原理で荷重が変わらない位置までブレーキドラムが移動する仕組みにしたので、使用者の体力消耗を軽減する仕様も備えた健康器具。
【手続補正２】
【補正対象書類名】実用新案登録請求の範囲
【補正対象項目名】請求項２
【補正方法】削除
【補正の内容】
【手続補正３】
【補正対象書類名】明細書
【補正対象項目名】全文
【補正方法】変更
【補正の内容】
【考案の詳細な説明】
【技術分野】
【０００１】  本考案は、体力に自信の持てない・高齢者・リハビリ者でも筋力トレーニングが出来る為のトレーニング用無段加圧装置及び、トレーニング効果を得る動作時以外は、トレーニング用無段加圧装置は作動しない為、使用者の体力の消耗の軽減出来る健康器具。
【考案の概要】
【考案が解決しようとする課題】
【０００２】  加齢・療養に依り、下肢の筋力低下に伴う、円滑な歩行が困難であるが従来の健康器具は直立して行う為、体重を支える事が出来る体力が無いと、使用は不可能であると言う問題点を有していた。
【課題を解決するための手段】
【０００３】  上記の目的を達成する為に、直立トレーニングが不可能な人達が寝たまま又は、椅子に座った状態で開脚・閉脚の動作を行う事により下肢の大腿四頭筋・内転筋・腓腹筋・ハムストリングス等の筋力をトレーニングする事が出来る様にした。両足を乗せて開閉動作をする部分品とそれを取付け保持する設置部分品とのスライドをコントロールさせる為の力をスプリング又は、ゴムの弾性を利用して摩擦制御の調整でし、トレーニング効果に必要な負荷を造り出す。それと、この使用者の対象が健康弱者である為、この負荷が無段階に調整出来る様に、弾性質のスプリングとゴムの２種類を連結する事無く別々の位置に組み合わせる事で可能となり、これを無段加圧装置と名付けた。又、負荷が閉脚動作時のトレーニング効果の取得出来る時だけ作動させ使用者の体力消耗を軽減する仕様も備えた健康器具である。
【考案の効果】
【０００４】  歩行は困難であるも両足の開閉さえ出来る体力があれば無段加圧装置の設置で下肢筋力のトレーニングが可能であり、又、トレーニング効果を得られない開脚動作時には無荷重となる為、体力の消耗をおさえる事が出来る。以上により寝たきり高齢者の減少の期待が出来、ひいては医療費の削減にもつながる可能性がある。又、療養による下肢の筋力低下のリハビリにも使用者が安定した姿勢で介護者なしでもトレーニングが可能な安全性の高い構造である。
【図面の簡単な説明】
【０００５】
【図１】健康器具の平面図である。
【図２】健康器具の側面図である。
【図３】健康器具の足乗せ部の正面図である。
【図４】健康器具の足乗せ部の側面図である。
【図５】健康器具の右足乗せ部と左足のせ部の製造工程を示す概略図である。
【考案を実施するための形態】
【０００６】  無段加圧装置とは、図５の符号１の無段加圧装置調整つまみを右又は左に回すと連結した無段加圧装置伝導シャフト（ネジ切りシャフト）が図５の符号２６の無段加圧装置シリンダー（内側ネジ切りパイプ）の中で上下する。そして接触している図５の符号３の無段加圧装置調整クッション（計荷重用平スプリン）を伸縮させる。そして図５の４の無段加圧装置連結ボルト（５ｍｍ×３５ｍｍＣＰＳボルト）に伝導する仕様だが、この無段加圧装置連結ボルトは、図３の３３（本体）で無段加圧装置連結ボルトの頭部の太い部分以上は、下がらない様に図３の３３の（本体）の穴を細くしてある。そして、この無段加圧装置連結ボルトと図５の２９（右）３０（左）の無段加圧装置連結板は上下からダブルネジで固定連結してある。そして、図５の６のブレーキドラム（１５φＵ溝付ウレタンゴム）が取付けられている図５の符号１１（左）又は、２８（右）の無段加圧装置切換板に伝導する。但し、無段加圧装置連結板と無段装置切換板はカシメ連結してあり振り子の様に動く様にしてある。以上が無段加圧装置の構造だが、伝達ボルトの限定作動・固定しないカシメ組立て・ブレーキドラムに、中弾性質のウレタンゴムを組み合わせた結果、非常に微調整が出来る加圧装置となった。
【０００７】  この健康器具は使用者を健康弱者でも使用出来る為に、トレーニング効果の有無により負荷を一方向のみかかる様にしてある。その仕様を下記に述べる。
【０００８】  図１の符号８のレール上に図１の符号図５詳細の足乗部本体を取付ける。そして、使用者が仰向きに寝た状態又は、椅子に座った状態で図１の符号図５詳細の足乗部本体の左・右上に左足右足を各々に乗せる。
【０００９】  図５の符号１の無段加圧装置調整つまみを右又は左に回すと、連結した無段加圧装置伝導シャフト（ネジ切シャフト）が図５の符号２６の無段加圧装置シリンダー（内側ネジ切パイプ）の中で上下させると図５の符号３の無段加圧装置調整クッション（スプリング又はウレタンゴム）が伸縮され図４の無段加圧装置連結ボルトと連結一体化された図５の符号２９（左側）又は、符号３０（右側）の無段加圧装置連結板（３ｔ×４５ｍｍ板）に伝導され、そして図５符号１１（左側）
0003190309.tif 000008
が取付けられている無段加圧装置切換板（３ｔ×７５鉄製板）の組立品に伸縮が伝導する。
【００１０】  この符号１１（左側）又は、符号２８（右側）の無段加圧装置切換板（３ｔ×７５鉄製板）は、図５の２９又は、３０の無段加圧装置連結板とは、カシメ連結させてあり、無段加圧装置切換板は右・左に振り子の様に動く様にしてある。
【００１１】  図５の１９の足乗せ部本体（２ｔの足型成形状鉄製板）が図５の８のレール上
0003190309.tif 000009
はレールとの接触圧力で図５の１１の無段加圧切換板と共に右方向に動こうとする。その動きを図５の８のレールと図５の６のブレーキドラムが直角に交わる位置、すなわち接触圧力が最大となる位置に図５の６のブレーキドラムが取付けてある無段加圧切換板が止まる様図５の３２のストッパー２を設置してある為、左にスライドしている場合は加圧状態が継続する。図５の１９の足乗せ部本体（２ｔ足型成形状鉄板）が図５の８のレール上を右にスライドする時は、図５の
0003190309.tif 000010
の１１の無段加圧装置切換板と共に、左に動こうとする。図５の１１の無段加圧装置切換板は左に動く範囲は無荷重の状態になり、しかも次に反対方向にスライドする時に無段加圧装置が作動する為に、図５の６のブレーキドラムと図５の８のレールが触れているだけの移動である。その為に、図５の１０のストッパー１を設置した。又、左に動く切換え時は、最も荷重のある状態である為、それを容易にする様式として、図５の１１の無段加圧装置切換板を振り子運動するカシメ連結をしてあるのと、図５の３の無段加圧装置調整クッションを軽荷重のものとして、その伸縮力を利用したこの２つの組合せで得られた。
【００１２】  図５の左側の場合は、上記の右側と反対位置に各々ストッパーを設置して上記と動作に対する加圧・無加圧が反対になる様にした。
【符号の説明】
【００１３】１無段加圧装置調整つまみ（外径４５ｍｍプラッスチック製）
２無段加圧装置伝導シャフト（１０ｍｍ×３０ｍｍ鉄製ボルト）
３無段加圧装置調整クション（８ｍｍ×２０ｍｍモールスプリング又はゴム）
４無段加圧装置連結ボルト（５ｍｍ×３５ｍｍＣＰＳボルト）
５振れ止めビス（４ｍｍ×１５ｍｍ丸ビス）
６ブレーキドラム（１５φＵ溝付ウレタンゴム）
７ライドパイプ（１４ｍｍ×１５φ×２５φポリカーボネート製）
８レール（１３．８φ×７００ｍｍ鉄パイプ）
９スライドパイプ本体取付け金具（Ｍ６×２０ｍｍＡＵボルト）
１０ストッパー１（４φ×シャフト）
１１無段加圧装置切換板（３ｔ×７５ｍｍ鉄製板）
１２無段加圧装置切換伝達ボルト（５ｔ×３５ｍｍ鉄製ボルト）
１３無段加圧装置切換本体取付けボルト（６ｔ×３５ｍｍスペーサー入ボルト）
１４無段加圧装置用スペーサー（５φ×２０ｍｍ鉄パイプ）
１５無段加圧装置伝達ボルト止めナット（５φ鉄製フランジナット）
１６無段加圧装置伝達ボルト調整ナット（５φ六角鉄製ナット）
１７無段加圧装置ブレーキドラム連結ボルト（５ｍｍ×１０ｍｍ鉄製低頭丸ビス）
１８無段加圧装置ブレーキドラム取付けピン（５ｍｍ×２０ｍｍ鉄製ロールピン）
１９足乗せ部本体（２ｔの足型成形状鉄製板）
２０足乗せ部本体取付け板（２ｔの鉄製整形板）
２１足乗せ部本体取付けボルト（６ｍｍ×１５ｍｍＣＰＳ鉄製ボルト）
２２無段加圧装置解除装置切断ストッパー（８ｍｍ×２０ｍｍ鉄製ボルト）
２３すべり止めカバー（ゴム製）
２４レール台（１．５ｔ×２０ｍｍ×５０ｍｍ×２５０ｍｍ鉄製角パイプ）
２５レール取付け（２ｔ×１００ｍｍ×１３０ｍｍ鉄製板）
２６無段加圧装置シリンダー（１４φ×１５ｍｍ鉄製パイプ）
２７ストッパー３（４φ×シャフト）
２８無段加圧装置切換板（３ｔ×７５ｍｍ鉄製板）
２９無段加圧装置連結板右（３ｔ×４５ｍｍ鉄製板）
３０無段加圧装置連結板左（３ｔ×４５ｍｍ鉄製板）
３１ストッパー４（４φ×シャフト）
３２ストッパー２（４φ×シャフト）
３３本体（２ｔ×８０×１６３鉄製板）
３４レール締付金具（Ｕボルト）
【手続補正４】
【補正対象書類名】図面
【補正対象項目名】図５
【補正方法】変更
【補正の内容】
【図５】
0003190309.tif 000011